(57)【要約】      （修正有）【課題】硬貨を平面に沿って着脱自在に装着し、金額が簡単に集計できるところの硬貨収納容器を安価に得る。【解決手段】硬貨Ａ１〜Ａ３と同等なる厚みの厚紙よりなる長方形の環状装着板Ｄに、硬貨Ａ１〜Ａ３の円形周縁部より一回り大きいところの円形なる装着孔を配設し、この環状装着板Ｄを間にして厚み０．５〜１ｍｍ程度の厚紙よりなる２枚の上側平面装着板Ｅと下側平面装着板Ｆを重合し、さらに、下側平面装着板Ｆの下側方向に厚み０．５〜１ｍｍ程度の厚紙よりなる装着基板Ｃを重合している。下側平面装着板Ｆは環状装着板Ｄと同等の大きさとし、下側平面装着板Ｆと接続片Ｇは折り曲げ線Ｆ９をもって接合している。【選択図】図７
2005270604.tif 000002
【特許請求の範囲】
【請求項１】
収納する硬貨の円形周縁部に対応する装着孔を左右に２分割するところの環状装着板分割線をもって並設した開閉環状装着板と固定環状装着板より形成される環状装着板を間にして、上側方向に重合する上側平面装着板は上記開閉環状装着板と接合し、下側方向に重合する下側平面装着板は上記環状装着板分割線上に位置するところの平面装着板分割線をもって開閉下側平面装着板と固定下側平面装着板に左右に２分割し、この開閉下側平面装着板と固定下側平面装着板は、上記環状装着板の開閉環状装着板と固定環状装着板にそれぞれ接合すると共に、上記下側平面装着板の下側方向に重合する装着基板には、上記固定下側平面装着板と、上記開閉下側平面装着板に開閉自在となるところの折り曲げ線をもって付設した接合片をそれぞれ接合し、硬貨を着脱自在に装着したことを特徴とする硬貨収納容器。
【発明の詳細な説明】
【発明の詳細な説明】
【技術分野】
【０００１】  本発明は、貨幣を収納する財布の中で、硬貨専用の財布に関するものである。
【背景技術】
【０００２】  従来、硬貨を収納する場合は袋状となった箇所に収納していた。
【発明が解決しようとする課題】
【０００３】  硬貨を袋状となった箇所に収納するならば、当然硬貨は重なり合うこととなり、紙幣が平面状態となるのに対して、異形な団子状態となりポケットの中等で安定した状態を保つとは言えず、また、いろいろな種類の硬貨が混ざり合うため金額の集計も大変である。
【０００４】  本発明は、従来のこのような問題点に鑑みてなされたものであり、その目的とするところは、硬貨を平面に沿って装着して平面状態に安定すると共に、金額が簡単に集計できるところの硬貨収納容器を安価に提供しようとするものである。
【課題を解決するための手段】
【０００５】  本発明における硬貨収納容器は、硬貨を平面に沿って装着して平面状態に安定すると共に、金額が簡単に集計できるところの硬貨収納容器を安価に提供するために、収納する硬貨の円形周縁部に対応する装着孔を左右に２分割するところの環状装着板分割線をもって並設した開閉環状装着板と固定環状装着板より形成される環状装着板を間にして、上側方向に重合する上側平面装着板は上記開閉環状装着板と接合し、下側方向に重合する下側平面装着板は上記環状装着板分割線上に位置するところの平面装着板分割線をもって開閉下側平面装着板と固定下側平面装着板に左右に２分割し、この開閉下側平面装着板と固定下側平面装着板は、上記環状装着板の開閉環状装着板と固定環状装着板にそれぞれ接合すると共に、上記下側平面装着板の下側方向に重合する装着基板には、上記固定下側平面装着板と、上記開閉下側平面装着板に開閉自在となるところの折り曲げ線をもって付設した接合片をそれぞれ接合し、硬貨を着脱自在に装着している。
【発明を実施するための最良の形態】
【０００６】  （実施の形態１）
実施例について図面を参照して説明する。
図１〜図７において、Ａ１〜Ａ３は収納する硬貨、Ｂは硬貨収納容器、Ｃは装着基板、Ｄは環状装着板、Ｅは上側平面装着板、Ｆは下側平面装着板、Ｇは接続片である。
硬貨Ａ１〜Ａ３と同等なる厚みの厚紙を用い四辺Ｄ１〜Ｄ４からなる長方形の環状装着板Ｄには、硬貨Ａ１〜Ａ３の円形周縁部より一回り大きいところの円形なる３個の装着孔Ｄ５〜Ｄ７を、この中心点Ｄ８〜Ｄ１０が短辺Ｄ１、Ｄ３方向においては短辺Ｄ１、Ｄ３を２等分して長辺Ｄ２、Ｄ４方向においては等間隔に位置するように配設し、この環状装着板Ｄを間にして、厚み０．５〜１ｍｍ程度の厚紙よりなる２枚の上側平面装着板Ｅと下側平面装着板Ｆを重合し、さらに、下側平面装着板Ｆの下側方向には厚み０．５〜１ｍｍ程度の厚紙よりなる装着基板Ｃを重合している。【０００７】  上側平面装着板Ｅは四辺Ｅ１〜Ｅ４からなる長方形にて、四辺Ｅ１〜Ｅ４のうちの長辺Ｅ２、Ｅ４は環状装着板Ｄの長辺Ｄ２、Ｄ４と同等な長さであるが、短辺Ｅ１、Ｅ３は環状装着板Ｄの短辺Ｄ１、Ｄ３の半分の長さとしている。また、下側平面装着板Ｆは環状装着板Ｄと同等の大きさにて、四辺Ｆ１〜Ｆ４からなる長方形のうちの長辺Ｆ４は、四辺Ｇ１〜Ｇ４からなる長方形の接続片Ｇの長辺Ｇ２と折り曲げ線Ｆ９をもって接合している。また、四辺Ｃ１〜Ｃ４からなる長方形の装着基板Ｃは下側平面装着板Ｆに接続片Ｇを付設した大きさと同等としている。【０００８】  また、環状装着板Ｄは、長辺Ｄ２、Ｄ４に平行して短辺Ｄ１、Ｄ３を２等分するところの環状装着板分割線Ｄ１１により左右に２分割して開閉環状装着板Ｄ１２と固定環状装着板Ｄ１３を形成している。また、下側平面装着板Ｆも長辺Ｆ２、Ｆ４に平行して短辺Ｆ１、Ｆ３を２等分するところの平面装着板分割線Ｆ６をもって左右に２分割して開閉下側平面装着板Ｆ７と固定下側平面装着板Ｆ８を形成している。
なお、上側平面装着板Ｅは開閉環状装着板Ｄ１２と合成接着剤にて互いに接着し、下側平面装着板Ｆのうち、固定下側平面装着板Ｆ８は両面を固定環状装着板Ｄ１３と装着基板Ｃに合成接着剤にて互いに接着して、開閉下側平面装着板Ｆ７は開閉環状装着板Ｄ１２と合成接着剤にて互いに接着し、接続片Ｇは装着基板Ｃと合成接着剤にて互いに接着している。【０００９】  従って、折り曲げ線Ｆ９をもって開閉自在なる開閉下側平面装着板Ｆ７を上方向に開放するならば、互いに接着された開閉環状装着板Ｄ１２と上側平面装着板Ｅも同時に開放することとなり、上側平面装着板Ｅと開閉環状装着板Ｄ１２と開閉下側平面装着板Ｆ７により凹状装着溝Ｂ１を形成し、この凹状装着溝Ｂ１の中に硬貨Ａ１〜Ａ３は容易に挿入できると共に、挿入した硬貨Ａ１〜Ａ３のうちの半円形は突出することとなり、この硬貨Ａ１〜Ａ３は指先で確実に掴むことができ簡単に引き出されることが可能となる。
また、硬貨Ａ１〜Ａ３を挿入した状態の凹状装着溝Ｂ１を水平方向に戻すならば、硬貨Ａ１〜Ａ３のうちの凹状装着溝Ｂ１に挿入されてない半円形部分が固定環状装着板Ｄ１３と固定下側平面装着板Ｆ８に当接して確実に凹状装着溝Ｂ１内に装着されることとなる。【００１０】  上述の実施例においては、環状装着板Ｄ、及び下側平面装着板Ｆを２分割するところの環状装着板分割線Ｄ１１、及び平面装着板分割線Ｆ６は、装着孔Ｄ５〜Ｄ７の中心点Ｄ８〜Ｄ１０を通る直線にそれぞれ位置しているが、装着孔Ｄ５〜Ｄ７の中心点Ｄ８〜Ｄ１０を通る位置に限定するものではなく、この環状装着板分割線Ｄ１１、及び平面装着板分割線Ｆ６にそれぞれ平行して、左右に２分割したうちの片方の開閉環状装着板Ｄ１２、及び開閉下側平面装着板Ｆ７方向に配設しても問題はない。この時、上側平面装着板Ｅの長辺Ｅ２をこの環状装着板分割線Ｄ１１、及び平面装着板分割線Ｆ６に合わせるならば、凹状装着溝Ｂ１の中に挿入した硬貨Ａ１〜Ａ３の半円形以上が突出することとなり、硬貨Ａ１〜Ａ３を指先で掴みやすくなる。
また、上側平面装着板Ｅの短辺Ｅ１、Ｅ３は環状装着板Ｄの短辺Ｄ１、Ｄ３の半分の長さとし、対向する長辺Ｅ２、Ｅ４のうちの一方の長辺Ｅ２は環状装着板分割線Ｄ１１、及び平面装着板分割線Ｆ６上に位置しているが、この位置に限定するものではなく、上側平面装着板Ｅの短辺Ｅ１、Ｅ３を環状装着板Ｄの短辺Ｄ１、Ｄ３の半分の長さより短くして、上記長辺Ｅ２が環状装着板分割線Ｄ１１、及び平面装着板分割線Ｆ６と段差が付くならば、硬貨Ａ１〜Ａ３は凹状装着溝Ｂ１の中に挿入し易くなることは言うまでもない。また反対に、硬貨Ａ１〜Ａ３を指先で掴むためのスペースを先端部に確保して固定下側平面装着板Ｆ８方向に延長して、硬貨Ａ１〜Ａ３の収納した状態をより安定するようにしてもよい。【００１１】  また、上側平面装着板Ｅと開閉環状装着板Ｄ１２と開閉下側平面装着板Ｆ７からなる凹状装着溝Ｂ１を上方向に開口するために、環状装着板Ｄは環状装着板分割線Ｄ１１にて、また下側平面装着板Ｆは平面装着板分割線Ｆ６にてそれぞれを２分割しているが、下側平面装着板Ｆにおいては、平面装着板分割線Ｆ６上に折り曲げ線を配設したところの開閉下側平面装着板Ｆ７と固定下側平面装着板Ｆ８を接合したものでもよい。この時、固定下側平面装着板Ｆ８と装着基板Ｃを接着する必要はなくなる。なお、この装着基板Ｃは必ず必要なものとはなくなり、接続片Ｇも不要となる。
また、装着基板Ｃの対向する長辺Ｃ２、Ｃ４のうち、固定下側平面装着板Ｆ８方向の長辺Ｃ２の延長上に、開閉自在なるカバーを付設して硬貨Ａ１〜Ａ３の収納した状態を安定するようにしてもよい。なお、このカバーの先端部は硬貨収納容器Ｂと着け外し自在なる接着剤、または接着テープにて固定してもよい。また、装着基板Ｃより一回り大きいものを２重にして、この対向する周縁部を互いに接着した筒状のカバーの中に、硬貨収納容器Ｂを挿入してもよい。
また、材質は厚紙としているが、プラスチックにて射出成形したものでもよい。なお、収納する硬貨Ａ１〜Ａ３の数は１列に３個としているが、言うまでもなく３個に限定するものではなく、また、実施例の硬貨収納容器Ｂを２列、３列と増やしたものでもよい。
【発明の効果】
【００１２】  本発明は、上述のとおり構成されているので、次に記載する効果を奏でる。
【００１３】  請求項１の硬貨収納容器においては、収納する硬貨の円形周縁部に対応する装着孔を左右に２分割するところの環状装着板分割線をもって並設した開閉環状装着板と固定環状装着板より形成される環状装着板を間にして、上側方向に重合する上側平面装着板は上記開閉環状装着板と接合し、下側方向に重合する下側平面装着板は上記環状装着板分割線上に位置するところの平面装着板分割線をもって開閉下側平面装着板と固定下側平面装着板に左右に２分割し、この開閉下側平面装着板と固定下側平面装着板は、上記環状装着板の開閉環状装着板と固定環状装着板にそれぞれ接合すると共に、上記下側平面装着板の下側方向に重合する装着基板には、上記固定下側平面装着板と、上記開閉下側平面装着板に開閉自在となるところの折り曲げ線をもって付設した接合片をそれぞれ接合し、硬貨を着脱自在に装着することができる。
【図面の簡単な説明】
【００１４】
【図１】  本発明の実施の形態１である上側平面装着板の平面図である。
【図２】  本発明の実施の形態１である環状装着板の平面図である。
【図３】  本発明の実施の形態１である下側平面装着板と接続片の平面図である。
【図４】  本発明の実施の形態１である装着基板の平面図である。
【図５】  本発明の実施の形態１である硬貨収納容器の平面図である。
【図６】  本発明の実施の形態１である凹状装着溝が水平方向なる状態における、硬貨収納容器の短辺側からみた要部断面図である。
【図７】  本発明の実施の形態１である凹状装着溝が上方向に開放した状態における、硬貨収納容器の短辺側からみた要部断面図である。
【符号の説明】
Ａ１〜Ａ３  硬貨
Ｂ  硬貨収納容器
Ｂ１  凹状装着溝
Ｃ  装着基板
Ｃ１〜Ｃ４、Ｄ１〜Ｄ４、Ｅ１〜Ｅ４、Ｆ１〜Ｆ４
Ｇ１〜Ｇ４  辺
Ｄ  環状装着板
Ｄ５〜Ｄ７  装着孔
Ｄ８〜Ｄ１０  中心点
Ｄ１１  環状装着板分割線
Ｄ１２  開閉環状装着板
Ｄ１３  固定環状装着板
Ｅ  上側平面装着板
Ｆ  下側平面装着板
Ｆ６  平面装着板分割線
Ｆ７  開閉下側平面装着板
Ｆ８  固定下側平面装着板
Ｆ９  折り曲げ線
Ｇ  接続片
【図１】
2005270604.tif 000003
【図２】
2005270604.tif 000004
【図３】
2005270604.tif 000005
【図４】
2005270604.tif 000006
【図５】
2005270604.tif 000007
【図６】
2005270604.tif 000008
【図７】
2005270604.tif 000009